【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
無線通信において、協調されたセクタ化された送信を実行するための方法であって、
第１の局（ＳＴＡ）で、第１のアクセスポイント（ＡＰ）から第１のヌルデータパケットアナウンスメント（ＮＤＰＡ）フレームを第１の複数のセクタを使用して受信するステップと、
前記第１のＳＴＡで、第２のＡＰから第２のＮＤＰＡフレームを第２の複数のセクタを使用して受信するステップと、
前記第１のＳＴＡで、第１のヌルデータパケット（ＮＤＰ）フレームを前記第１のＡＰから受信するステップと、
前記第１のＳＴＡで、第２のＮＤＰフレームを前記第２のＡＰから受信するステップと、
前記第１のＳＴＡで、前記第２のＮＤＰフレームに基づいて、第２のＳＴＡから前記第２のＡＰへ向けられた第１のフィードバックパケットを受信するステップであって、前記第１のフィードバックパケットは、前記第２のＳＴＡと通信するために前記第２のＡＰによって使用可能な第１のセクタを示す、ステップと、
第２のフィードバックパケットを前記第１のＳＴＡから前記第１のＡＰおよび前記第２のＡＰへ送信するステップであって、前記第２のフィードバックパケットは、前記第１のＡＰから受信された前記第１のＮＤＰフレームおよび前記第２のＳＴＡから受信された前記第１のフィードバックパケットに基づいており、および、前記第１のＳＴＡと通信するために前記第１のＡＰによって使用可能な第２のセクタを示しており、前記第１のＳＴＡと通信するための前記第２のセクタは、前記第２のＳＴＡと通信するための前記第１のセクタと互換性があり、それによって前記第１のセクタと前記第２のセクタとの協調された空間的直交性を可能にする、ステップと、
前記第１のＳＴＡと通信するための前記示されたセクタを介して前記第１のＡＰからデータを受信するステップと
を含むことを特徴とする方法。
【請求項２】
前記第１のＮＤＰフレームおよび前記第２のＮＤＰフレームは、それぞれ、前記第１のＮＤＰＡフレームおよび前記第２のＮＤＰＡフレームからショートインターフレームスペース（ＳＩＦＳ）期間の後に受信されることを特徴とする請求項１に記載の方法。
【請求項３】
前記第１のＮＤＰフレームおよび前記第２のＮＤＰフレームは、送信セクタ化を推定するために使用されることを特徴とする請求項１に記載の方法。
【請求項４】
前記第２のフィードバックパケットは、前記第２のＳＴＡと通信するために前記第２のＡＰによって使用可能な前記第１のセクタをさらに示すことを特徴とする請求項１に記載の方法。
【請求項５】
前記第１のフィードバックパケットは、前記第２のＡＰからのセクタを示すことを特徴とする請求項１に記載の方法。
【請求項６】
前記第２のフィードバックパケットは、望まれていないセクタを示すことを特徴とする請求項１に記載の方法。
【請求項７】
前記第２のフィードバックパケットは、前記第１のＡＰのための変調および符号化方式（ＭＣＳ）を示すことを特徴とする請求項１に記載の方法。
【請求項８】
前記第２のフィードバックパケットは、前記第１のＡＰのための送信電力を示すことを特徴とする請求項１に記載の方法。
【請求項９】
前記第１のＡＰからセクタ化確認信号を受信するステップ
をさらに含むことを特徴とする請求項１に記載の方法。
【請求項１０】
無線通信において、協調されたセクタ化された送信を実行するための局（ＳＴＡ）であって、
第１のアクセスポイント（ＡＰ）から第１のヌルデータパケットアナウンスメント（ＮＤＰＡ）フレームを第１の複数のセクタを使用して受信し、
第２のＡＰから第２のＮＤＰＡフレームを第２の複数のセクタを使用して受信し、
第１のヌルデータパケット（ＮＤＰ）フレームを前記第１のＡＰから受信し、
第２のＮＤＰフレームを前記第２のＡＰから受信し、
前記第２のＮＤＰフレームに基づいて、第２のＳＴＡから前記第２のＡＰへ向けられた第１のフィードバックパケットを受信し、前記第１のフィードバックパケットは、前記第２のＳＴＡと通信するために前記第２のＡＰによって使用可能な第１のセクタを示す
ように構成された受信機と、
第２のフィードバックパケットを前記第１のＡＰおよび前記第２のＡＰへ送信し、前記第２のフィードバックパケットは、前記第１のＡＰから受信された前記第１のＮＤＰフレームおよび前記第２のＳＴＡから受信された前記第１のフィードバックパケットに基づいており、および、前記ＳＴＡと通信するために前記第１のＡＰによって使用可能な第２のセクタを示しており、前記ＳＴＡと通信するための前記第２のセクタは、前記第２のＳＴＡと通信するための前記第１のセクタと互換性があり、それによって前記第１のセクタと前記第２のセクタとの協調された空間的直交性を可能にする
ように構成された送信機と、を備え、
前記受信機は、前記ＳＴＡと通信するための前記示されたセクタを介して前記第１のＡＰからデータを受信するようにさらに構成される
ことを特徴とするＳＴＡ。
【請求項１１】
前記受信機は、前記第１のＮＤＰフレームおよび前記第２のＮＤＰフレームを、それぞれ、前記第１のＮＤＰＡフレームおよび前記第２のＮＤＰＡフレームからショートインターフレームスペース（ＳＩＦＳ）期間の後に受信するように構成されることを特徴とする請求項１０に記載のＳＴＡ。
【請求項１２】
前記第１のＮＤＰフレームおよび前記第２のＮＤＰフレームに基づいて、送信セクタ化を推定するように構成されたプロセッサをさらに備えることを特徴とする請求項１０に記載のＳＴＡ。
【請求項１３】
前記第１のフィードバックパケットは、前記第２のＡＰからのセクタを示すことを特徴とする請求項１０に記載のＳＴＡ。
【請求項１４】
前記第２のフィードバックパケットは、望まれていないセクタを示すことを特徴とする請求項１０に記載のＳＴＡ。
【請求項１５】
前記第２のフィードバックパケットは、前記第１のＡＰのための変調および符号化方式（ＭＣＳ）を示すことを特徴とする請求項１０に記載のＳＴＡ。
【請求項１６】
前記第２のフィードバックパケットは、前記第１のＡＰのための送信電力を示すことを特徴とする請求項１０に記載のＳＴＡ。
【請求項１７】
前記受信機は、前記第１のＡＰからセクタ化確認信号を受信するようにさらに構成されることを特徴とする請求項１０に記載のＳＴＡ。
【請求項１８】
協力的なセクタ化された送信のためのトレーニングおよびフィードバックを提供する方法であって、
プローブ要求を局（ＳＴＡ）から送信するステップと、
プローブ応答を第１のアクセスポイント（ＡＰ）および第２のＡＰの各々から受信するステップであって、前記受信されたプローブ応答の各々は、複数のＡＰ関連付け機能および協力的なセクタ化機能を示す、ステップと、
前記ＳＴＡから、関連付け要求を前記第１のＡＰおよび前記第２のＡＰへ送信するステップであって、前記関連付け要求は、前記ＳＴＡの前記複数のＡＰ関連付け機能および協力的なセクタ化機能を示す機能フレームと集約される、ステップと
を含むことを特徴とする方法。
【請求項１９】
前記第１のＡＰはプライマリＡＰとして設定され、および、前記第２のＡＰはセカンダリＡＰとして設定されることを特徴とする請求項１８に記載の方法。
【請求項２０】
前記ＳＴＡのためのデータは、分配システム（ＤＳ）を介して、または、前記第１のＡＰと前記第２のＡＰとの間の直接リンクによって、受信されることを特徴とする請求項１９に記載の方法。